(57)【特許請求の範囲】
【請求項１】
屋根下地に葺設された屋根材を引き抜いて取り外すための屋根材取り外し工具であって、前記屋根下地と前記屋根材との間に挿入するための挿入部と、この挿入部に形成される係止部とを備え、前記挿入部が前記屋根下地と前記屋根材との間に挿入された状態で、前記係止部は前記屋根材の上端部に係止可能に形成されて成ることを特徴とする屋根材取り外し工具。
【請求項２】
前記係止部が先鋭に形成されて成ることを特徴とする請求項１に記載の屋根材取り外し工具。
【請求項３】
前記屋根下地と前記屋根材との間への前記挿入部の挿入量を判定するための判定目印が前記挿入部に設けられて成ることを特徴とする請求項１又は２に記載の屋根材取り外し工具。
【請求項４】
前記係止部と前記屋根材の上端部との係止を解除するためのテーパー部が前記係止部に設けられて成ることを特徴とする請求項１乃至３のいずれか一項に記載の屋根材取り外し工具。
【請求項５】
前記係止部が起倒自在に形成されて成ることを特徴とする請求項１乃至４のいずれか一項に記載の屋根材取り外し工具。
【発明の詳細な説明】
【技術分野】
【０００１】
本発明は、屋根材の葺き替えなどの際に用いられる屋根材取り外し工具に関するものである。
【背景技術】
【０００２】
従来より、屋根に葺設された複数の屋根材の一部を交換して屋根材の葺き替えが行われている。図１０（ａ）（ｂ）に示すように、複数枚の屋根材１は野地板などの屋根下地２に載置されて釘などの固定具３で屋根下地２に固定されている。屋根材１は屋根の傾斜方向（例えば、軒棟方向）において、上側略半分が非暴露部１ａとして形成されており、下側略半分が暴露部１ｂとして形成されている。固定具３は非暴露部１ａにおいて屋根材１を貫通するようにして屋根下地２に打ち込まれている。
【０００３】
屋根の傾斜方向と直交する方向で隣接する屋根材１、１は互いに側端部同士を突き合わせて配設されている。また、屋根の傾斜方向で隣接する屋根材１、１は、傾斜方向において下側に位置する屋根材１の非暴露部１ａの上に、傾斜方向において上側に位置する屋根材１の暴露部１ｂを載置するようにして配置されている。また、傾斜方向において上側に位置する屋根材１の暴露部１ｂは、傾斜方向において下側に位置する二枚の隣接する屋根材１、１の非暴露部１ａ、１ａにわたるように載置されている。
【０００４】
そして、上記のように葺設された複数枚の屋根材１のうちの一枚を葺き替えるにあたっては、次のようにして行う。まず、のこぎり等を用いて葺き替えの対象となっている屋根材１を固定する固定具３を切断する。この場合、図１０（ａ）（ｂ）に示すように、表裏に重なった屋根材１、１の隙間にのこぎり５の刃５ａを屋根の傾斜方向の下側（例えば、軒側）から挿入して固定具３を切断することができる。尚、固定具３を切断する代わりに、リッパーなどの工具を用いて固定具３を抜くようにしても良い。次に、切断した固定具３で固定されていた屋根材１を引き抜いて取り外す。この場合、図１０（ｃ）に示すように、葺き替えの対象となっている屋根材１の暴露部１ｂを上から手で押さえながら引き抜くようにする。このようにして屋根材１を取り外した後、この位置に新たな屋根材１を差し入れ、接着したり他の固定具を暴露部１ｂに打ち込んだりして固定する。
【先行技術文献】
【特許文献】
【０００５】
【特許文献１】特開２００３−３１４０１４号公報
【特許文献２】特開平１１−６２１４８号公報
【発明の概要】
【発明が解決しようとする課題】
【０００６】
しかし、上記のように屋根材１を手で引き抜く場合、屋根材１を把持しにくいために力が入りにくく、また、屋根材１を上側から押さえながら引き抜くために、屋根下地１や下側の屋根材１との摩擦が大きくなり、引き抜きにくいという問題があった。また、引き抜く屋根材１が平面視で斜めに傾くと、両側に隣接する他の屋根材１、１と側端部同士が当たって（せって）引き抜きにくいという問題があった。この場合、隣接する他の屋根材１、１との摩擦を少なくしようとして、隣接する他の屋根材１、１を足で擦ったり蹴ったりすると、葺き替えをしない屋根材１の表面が削られたり擦り傷が付いたりするという問題があった。
【０００７】
本発明は上記の点に鑑みてなされたものであり、周囲の屋根材が削られたり擦り傷が付いたりすることが少なく、屋根材を引き抜きやすい屋根材取り外し工具を提供することを目的とするものである。
【課題を解決するための手段】
【０００８】
本発明に係る屋根材取り外し工具は、屋根下地に葺設された屋根材を引き抜いて取り外すための屋根材取り外し工具であって、前記屋根下地と前記屋根材との間に挿入するための挿入部と、この挿入部に形成される係止部とを備え、前記挿入部が前記屋根下地と前記屋根材との間に挿入された状態で、前記係止部は前記屋根材の上端部に係止可能に形成されて成ることを特徴とするものである。
【０００９】
前記屋根材取り外し工具にあっては、前記係止部が先鋭に形成されて成ることが好ましい。
【００１０】
前記屋根材取り外し工具にあっては、前記屋根下地と前記屋根材との間への前記挿入部の挿入量を判定するための判定目印が前記挿入部に設けられて成ることが好ましい。
【００１１】
前記屋根材取り外し工具にあっては、前記係止部と前記屋根材の上端部との係止を解除するためのテーパー部が前記係止部に設けられて成ることが好ましい。
【００１２】
前記屋根材取り外し工具にあっては、前記係止部が起倒自在に形成されて成ることが好ましい。
【発明の効果】
【００１３】
本発明は、周囲の屋根材が削られたり擦り傷が付いたりすることが少なく、屋根材を引き抜きやすいものである。
【図面の簡単な説明】
【００１４】
【図１】本発明の実施の形態の一例を示し、（ａ）は側面図、（ｂ）は平面図である。
【図２】同上の使用状態を示し、（ａ）は断面図、（ｂ）は平面図である。
【図３】同上の他の実施の形態の一例を示し、（ａ）は側面図、（ｂ）は平面図である。
【図４】同上の他の実施の形態の一例を示す平面図である。
【図５】同上の他の実施の形態の一例を示し、（ａ）は平面図、（ｂ）は一部の断面図である。
【図６】同上の他の使用状態を示す断面図である。
【図７】同上の他の実施の形態の一例を示し、（ａ）は側面図、（ｂ）は一部の断面図である。
【図８】同上の他の実施の形態の一例を示し、（ａ）は平面図、（ｂ）は一部の断面図、（ｃ）は使用状態の概略の断面図である。
【図９】同上の他の実施の形態の一例を示し、（ａ）（ｂ）は一部の概略の平面図、（ｃ）は一部の断面図である。
【図１０】従来例を示し、（ａ）は平面図、（ｂ）は断面図、（ｃ）は平面図である。
【発明を実施するための形態】
【００１５】
以下、本発明を実施するための形態を説明する。
【００１６】
図１（ａ）（ｂ）に屋根材取り外し工具Ａの一例を示す。この屋根材取り外し工具Ａは、弾性変形が可能なように、鉄やステンレス鋼（ＳＵＳ）などの金属で形成されるのが好ましい。また、屋根材取り外し工具Ａは、挿入部１０と係止部２０と把持部３０とを備えて形成されている。係止部２０は挿入部１０の前端側に、把持部３０は挿入部１０の後端側にそれぞれ形成されている。
【００１７】
挿入部１０は前後方向に長い短冊形状に形成されており、その板厚は例えば１〜２ｍｍとすることができる。挿入部１０の長手方向の寸法は各種の屋根材１の上下方向（屋根の傾斜方向と平行な方向の寸法であって、例えば、軒棟方向）の寸法に対応できるように、４００〜８００ｍｍ程度であれば好ましい。挿入部１０の短手方向の寸法は取り扱い性等を考慮して３０〜６０ｍｍにするのが好ましい。挿入部１０の後端側の表面において、把持部３０の前側には判定目印１１が設けられている。判定目印１１は、後述のように、屋根下地２と屋根材１との間へ挿入部１０を挿入した際に、その挿入量がどの程度かを判定するための目安となる目印である。判定目印１１は挿入部１０の短手方向に長い複数本の線状体１１ａを挿入部１０の長手方向に等間隔で並べて目盛りのように形成することができるが、これに限定されるものではない。
【００１８】
係止部２０は平面視で略正方形に形成されるものであって、その一辺の長さは挿入部１０の短手方向の寸法と略同等に形成することができる。係止部２０は挿入部１０の厚みよりも厚く形成することができる。係止部２０の裏面は挿入部１０の裏面と略面一に形成されるが、係止部２０の表面は挿入部１０の表面よりも１〜４ｍｍ程度突出して形成されている。また、係止部２０の前端面２０ａは、裏面側よりも表面側の方が前方に突出するようなテーパー面に形成されており、係止部２０の前端面２０ａの表面側は先鋭に形成されている。このように係止部２０の前端面２０ａをテーパー面にすることにより、屋根下地２と屋根材１との間へ係止部２０が差し込みやすくなるものである。また係止部２０の前端部の表面側を先鋭に形成することにより、後述のように、屋根下地２と屋根材１との間へ係止部２０を差し込む際に、屋根材１と張り付いているルーフィング材４を傷つけずに剥がしやすくなるものである。
【００１９】
把持部３０はベース部３１の表面に突出して設けられている。ベース部３１は挿入部１０の後端側の表面と挿入部１０の後端よりも後方に突出して設けられている。また、ベース部３１の前端面と後端面にはハンマー受け部３２が設けられている。ハンマー受け部３２は矩形板状に形成されており、ハンマーで打撃しやすいようにベース部３１の表面側に突出して設けられている。尚、ベース部３１の後端面のハンマー受け部３２は特に設けなくても良い。また、把持部３０は、作業性を考慮すれば握っての作業を可能とするのが望ましいが、工具全体をよりコンパクトにするために、ハンマー受け部３２のみが形成されていたり、ワイヤーなどが引っ掛け可能なフック部や孔部（図示せず）などがベース部３１に形成されていても良いものである。
【００２０】
そして、屋根材１の葺き替え等において、上記のような屋根材取り外し工具Ａを用いて一部の屋根材１を取り外すにあたっては、次のようにして行う。
【００２１】
屋根材１は通常上記従来例のように施工されている。すなわち、野地板等の屋根下地２の表面にアスファルトルーフィングなどのルーフィング材４を敷設し、このルーフィング材４の表面に複数枚の屋根材１が葺設されている。ルーフィング材４に載置されて屋根材１は釘などの固定具３で屋根下地２に固定されている。屋根材１は屋根の傾斜方向（例えば、軒棟方向）において、上側略半分が非暴露部１ａとして形成されており、下側略半分が暴露部１ｂとして形成されている。固定具３は非暴露部１ａにおいて屋根材１を貫通するようにして屋根下地２に打ち込まれている。また、屋根の傾斜方向と直交する方向で隣接する屋根材１、１は互いに側端部同士を突き合わせて配設されている。屋根の傾斜方向で隣接する屋根材１、１は、傾斜方向において下側に位置する屋根材１の非暴露部１ａの上に、傾斜方向において上側に位置する屋根材１の暴露部１ｂを載置するようにして配置されている。また、傾斜方向において上側に位置する屋根材１の暴露部１ｂは、傾斜方向において下側に位置する二枚の隣接する屋根材１、１の非暴露部１ａ、１ａにわたるように載置されている。
【００２２】
まず、図１０（ａ）（ｂ）に示すように、のこぎり等を用いて葺き替えの対象となっている屋根材１を固定する釘等の固定具３を切断する。この場合、表裏に重なった屋根材１、１の隙間にのこぎり５の刃５ａを屋根の傾斜方向の下側（例えば、軒側）から挿入して固定具３を切断することができる。尚、固定具３を切断する代わりに、リッパーなどの工具を用いて固定具３を抜くようにしても良い。
【００２３】
次に、のこぎり５の刃５ａを上記隙間から抜いた後、その隙間に屋根材取り外し工具Ａを挿入する。この場合、図２（ａ）（ｂ）に示すように、係止部２０側から挿入部１０を、葺き替えの対象となっている屋根材１の裏面とその下側に葺設された屋根材１の表面との隙間に、屋根の傾斜方向の下側から挿入するようにする。挿入部１０の挿入量は判定目印１１を目安にして調整する。また、係止部２０は先鋭に形成されているので、屋根材１との摩擦が小さくなって上記隙間に差し込みやすく、特に、ルーフィング材４と屋根材１とが融着している場合、係止部２０で屋根材１からルーフィング材４を傷つけずに剥がしながら挿入することができるものである。また、係止部２０や挿入部１０が挿入しにくい場合は、後側のハンマー受け部３２をハンマーで打撃しながら挿入することができる。そして、このようにして係止部２０を挿入していき、係止部２０の全体が葺き替えの対象となっている屋根材１の上端部よりも上側に達すると、挿入部１０の弾性力等で係止部２０が上動し、或いは係止部２０に持ち上げられていた屋根材１が挿入部１０の上へと落下（下動）することで、係止部２０の後端面が屋根材１の上端部（上端面）に引っ掛けられて係止される。
【００２４】
この後、把持部３０を持って屋根材取り外し工具Ａを屋根の傾斜方向に沿って下側に引っ張ることにより、葺き替えの対象となっている屋根材１を引き抜くようにする。このとき、挿入部１０が表裏に重ね合わされた屋根材１、１の間に介在するために、屋根材、１、１同士の摩擦が低減されて、葺き替えの対象となっている屋根材１が引き抜きやすくなるものである。また、屋根材１が引き抜きにくい場合は、前側のハンマー受け部３２をハンマーで打撃しながら引き抜くようにする。このようにして葺き替えの対象となっている屋根材１を容易に引き抜くことができる。また、葺き替えの対象となっている屋根材１の表側や裏側にある他の屋根材１や両側方にある他の屋根材１が削られたり擦り傷が付いたりすることが少なくなり、屋根の外観や防水性が低下しにくくなるものである。
【００２５】
図３（ａ）（ｂ）に他の実施の形態の一例を示す。この屋根材取り外し工具Ａは平面視で略Ｔ字状に形成されおり、図１のものと比較して、係止部２０が横方向（屋根の傾斜方向と直交する方向）に長く、平面視で短冊状に形成されている。その他の構成は図１のものと同様である。係止部２０の横方向の寸法は、葺き替えの対象となっている屋根材１に打ち込まれている複数本の固定具（釘など）３、３…の間隔以下（１００ｍｍ程度）にすることが好ましい。
【００２６】
図３の屋根材取り外し工具Ａは図１のものと比較して、屋根材１の上端部（上端面）と係止部２０の後端面との係止長さを長くすることができ、屋根材１の上端部と係止部２０の後端面との係止が外れにくくなって、屋根材１を安定して引き抜きやすくなるものである。
【００２７】
図４に他の実施の形態の一例を示す。この屋根材取り外し工具Ａは平面視で略Ｙ字状に形成されおり、図１のものと比較して、係止部２０が横方向の二箇所に設けられている。すなわち、挿入部１０は短冊状のストレート部１０ａとストレート部１０ａの先端に設けられた平面視で略Ｖ字状の分岐部１０ｂとで形成されており、係止部２０は分岐部１０ｂの二カ所の前端部にそれぞれ設けられている。従って、係止部２０はストレート部１０ａの両側二カ所に係止部２０が設けられていることになる。係止部２０、２０の横方向の間隔は、葺き替えの対象となっている屋根材１に打ち込まれている複数本の固定具（釘など）３、３…の間隔以下（１００ｍｍ程度）にすることが好ましい。その他の構成は図１のものと同様である。
【００２８】
図４の屋根材取り外し工具Ａは図１のものと比較して、屋根材１の上端部（上端面）と係止部２０の後端面との係止を二カ所に増やすことができ、屋根材１の上端部と係止部２０の後端面との係止が外れにくくなって、屋根材１を安定して引き抜きやすくなるものである。
【００２９】
図５（ａ）（ｂ）に他の実施の形態の一例を示す。この屋根材取り外し工具Ａは、図１のものと比較して、やや横方向に長い係止部２０が設けられている。係止部２０の前端部は上記と同様に先鋭に形成されている。また、係止部２０の後端部には一対の係止片２０ｂ、２０ｂが突設されている。係止片２０ｂは挿入部１０を挟んで両側に一つずつ設けられている。係止片２０ｂはその基部を中心として表裏方向に弾性変形自在に形成されている。係止片２０ｂは、通常、挿入部１０よりも表面側に突出した状態となっているが、係止片２０ｂに表面側から力を掛けると、裏面側に向かって弾性変形し、挿入部１０の表面と略面一の状態となる。また、係止片２０ｂの表面から力を解除すると、弾性力により表面側に向かって起立し、挿入部１０よりも表面側に突出した状態に復元する。このように係止片２０ｂは、挿入部１０よりも表面側に突出した状態と、挿入部１０の表面と略面一になる状態との間で起倒自在に形成されている。その他の構成は図１のものと同様である。
【００３０】
図５に示す屋根材取り外し工具Ａでは、図６に示すように、係止部２０側から挿入部１０を、葺き替えの対象となっている屋根材１の裏面とその下側に葺設された屋根材１の表面との隙間に、屋根の傾斜方向の下側から挿入する。この場合に、葺き替えの対象となっている屋根材１の裏面で係止部２０が表面側から押圧されて倒れた状態となる。従って、挿入部１０の挿入の際に、係止部２０と葺き替えの対象となっている屋根材１の裏面との摩擦が小さくなって、挿入部１０が挿入しやすくなるものである。また、係止部２０が葺き替えの対象となっている屋根材１の上端面よりも上側に達すると、係止部２０への表面側からの押圧が解除されて係止部２０の弾性力により起立状態となる。これにより、係止部２０が屋根材１の上端面に引っ掛けられて係止され、この後、上記と同様にして、屋根材１を引き抜くことができるものである。
【００３１】
図７（ａ）（ｂ）に他の実施の形態の一例を示す。この屋根材取り外し工具Ａは、図１のものと比較して、係止部２０が挿入部１０の前端部に表面側に折り返し屈曲して形成されている。その他の構成は図１のものと同様である。
【００３２】
図７に示す屋根材取り外し工具Ａでは図１のものと比較して、係止部２０を簡単に形成することができるものである。
【００３３】
図８（ａ）乃至（ｃ）に他の実施の形態の一例を示す。この屋根材取り外し工具Ａは、図１のものと比較して、挿入部１０に部分的に刃部１３を設けたものである。刃部１３は挿入部１０の前部に設けられており、挿入部１０の長さ寸法の１／４程度の長さを刃部１３とすることができる。図８（ｂ）に示すように、刃部１３は挿入部１０の両側の長手端部に沿って形成されており、挿入部１０の短手方向の中央部から両方の長手端部に向かって下り傾斜するように、刃部１３が形成されている。尚、刃部１３はのこぎり刃のようにギザギザに形成しても良い。その他の構成は図１のものと同様である。
【００３４】
図８に示す屋根材取り外し工具Ａでは、葺き替えの対象となっている屋根材１の裏面側に挿入部１０を挿入した際に、この屋根材１の裏面とルーフィング材４の表面とが接着している場合に、図８（ｃ）に示すように、挿入部１０を横方向に動かす等して屋根材１の裏面とルーフィング材４の表面との間に刃部１３を挿入して屋根材１とルーフィング材４とを剥がすことができる。従って、屋根材１を引き抜く際にルーフィング材４が抵抗になりにくくすることができ、屋根材１が引き抜きやすくなるものである。
【００３５】
図９（ａ）乃至（ｃ）に他の実施の形態の一例を示す。この屋根材取り外し工具Ａは、図１のものと比較して、係止部２０の一部にテーパー部１４が形成されている。テーパー部１４は係止部２０の後端から先端側に向かって１／２〜３／４程度の長さに形成することができる。係止部２０の先端にまで達するようにテーパー部１４を設けると、係止部２０の挿入時にルーフィング材４を傷つけ易くなるため、好ましくない。テーパー部１４は係止部２０の両側部に沿って形成されており、係止部２０の両方の長手端部に向かって下り傾斜するように、テーパー部１４が形成されている。その他の構成は図１のものと同様である。
【００３６】
図９に示す屋根材取り外し工具Ａでは、図９（ａ）に示すように、葺き替えの対象となっている屋根材１の裏面側に挿入部１０を挿入し、係止部２０の後端面を屋根材１の上端面に係止し、上記と同様に、屋根材１を引き抜くようにする。しかし、屋根材１を引き抜くことができないと、屋根材取り外し工具Ａも引く抜けなくなる。そこで、図９（ｂ）に示すように、係止部２０を回動させることにより、係止部２０の後端面と屋根材１の上端面との係止を解除するようにする。この場合、係止部２０にテーパー面１４が形成されていることで、テーパー面１４を屋根材１の上端部の裏面側に挿入しやすくなって、係止部２０を容易に回動させることができ、屋根材取り外し工具Ａを引き抜きやすくすることができるものである。なお、テーパー部１４は係止部２０の一方の側部だけに設けても良い。また、テーパー部１４の最下位置は、挿入部１０の上面と同一或いは僅かに下方とするのが好ましく、これにより、テーパー部１４を屋根材１の上端部の裏面側に挿入しやすくなるものである。
【符号の説明】
【００３７】
Ａ  屋根材取り外し工具
１  屋根材
２  屋根下地
１０  挿入部
１１  判定目印
１４  テーパー部
２０  係止部
３０  把持部
【図１】
0005715512.tif 000002
【図２】
0005715512.tif 000003
【図３】
0005715512.tif 000004
【図４】
0005715512.tif 000005
【図５】
0005715512.tif 000006
【図６】
0005715512.tif 000007
【図７】
0005715512.tif 000008
【図８】
0005715512.tif 000009
【図９】
0005715512.tif 000010
【図１０】
0005715512.tif 000011